(57)【要約】【課題】  光出力パワー特性の劣化を抑えつつ波長切替時間の短縮を図ることができる光送信器を得る。【解決手段】  ＣＷ−ＬＤ部１の出力波長切替時、ＣＷ−ＬＤ制御部４１は、波長切替時の光出力パワー特性の劣化を許容して、波長切替に最適化された制御を行う。一方、変調器制御部４２は波長切替時、光出力パワー特性が劣化しないように、変調器２の光出力パワーとＲＯＭ５に記憶された所望の光出力パワー特性とを比較して変調器２のバイアス電圧を変化させて、変調器２の光出力パワーのフィードバック制御を行う。【選択図】      図１
2008058430.tif 000002
【特許請求の範囲】
【請求項１】
波長可変光源と、送信データに応じて前記波長可変光源の出力光を変調して出力する変調器とを有する光送信器であって、
前記波長可変光源の出力波長切替時、前記変調器の光出力パワーを基に前記変調器のバイアス電圧を変化させて前記変調器の光出力パワーのフィードバック制御をなす制御手段を含むことを特徴とする光送信器。
【請求項２】
前記制御手段は、前記変調器の光出力パワーと所望の時間対光出力パワー特性とを比較して前記変調器のバイアス電圧を可変制御することを特徴とする請求項１記載の光送信器。
【請求項３】
前記制御手段は、前記変調器の光出力パワーと前記変調器の光入力パワーとの差に応じて、前記変調器のバイアス電圧を可変制御する際の増減幅を可変制御することを特徴とする請求項２記載の光送信器。
【請求項４】
前記所望の時間対光出力パワー特性を記憶する記憶手段を更に含むことを特徴とする請求項２または３記載の光送信器。
【請求項５】
前記記憶手段は、波長ごとに前記所望の時間対光出力パワー特性を記憶したことを特徴とする請求項４記載の光送信器。
【請求項６】
波長可変光源と、送信データに応じて前記波長可変光源の出力光を変調して出力する変調器とを有する光送信器の動作制御方法であって、
前記波長可変光源の出力波長切替時、前記変調器の光出力パワーを基に前記変調器のバイアス電圧を変化させて前記変調器の光出力パワーのフィードバック制御をなす制御ステップを含むことを特徴とする動作制御方法。
【請求項７】
前記制御ステップは、前記変調器の光出力パワーと所望の時間対光出力パワー特性とを比較して前記変調器のバイアス電圧を可変制御することを特徴とする請求項６記載の動作制御方法。
【請求項８】
前記制御ステップは、前記変調器の光出力パワーと前記変調器の光入力パワーとの差に応じて、前記変調器のバイアス電圧を可変制御する際の増減幅を可変制御するステップを有することを特徴とする請求項７記載の動作制御方法。
【請求項９】
波長可変光源と、送信データに応じて前記波長可変光源の出力光を変調して出力する変調器とを有する光送信器の動作制御方法をコンピュータに実行させるためのプログラムであって、
前記波長可変光源の出力波長切替時、前記変調器の光出力パワーを基に前記変調器のバイアス電圧を変化させて前記変調器の光出力パワーのフィードバック制御をなす処理を含むことを特徴とするプログラム。
【発明の詳細な説明】
【技術分野】
【０００１】
本発明は光送信器、その動作制御方法及びプログラムに関し、特に出力波長を可変可能な波長可変光源の波長切替時の光出力パワー調整方法に関する。
【背景技術】
【０００２】
図３は従来の光送信器の構成を示す図である。図３において、従来の光送信器は、波長可変光源であるＣＷ−ＬＤ（Ｃｏｎｔｉｎｕｏｕｓ  Ｗａｖｅ−Ｌａｓｅｒ  Ｄｉｏｄｅ）部１と、変調器２と、変調器駆動部３と、制御部６とを有している。
【０００３】
変調器駆動部３は送信データに応じて変調器２を駆動し、変調器２はＣＷ−ＬＤ部１からの光出力を変調して光送信信号として出力する。制御部６のＣＷ−ＬＤ制御部６１は通常時、ＣＷ−ＬＤ部１の光出力パワー及び出力波長が最適化されるようにＣＷ−ＬＤ部１を制御する。制御部６の変調器制御部６２は通常時、変調器２の出力光の波形が最適化されるように変調器２を制御する。
【０００４】
ＣＷ−ＬＤ部１の出力波長を切替える（変化させる）とき、ＣＷ−ＬＤ制御部６１は、伝送特性維持のため波長切替時の光出力パワー特性が劣化しないように、ＣＷ−ＬＤ部１の後方光出力から光出力パワー及び出力波長をモニタしつつＣＷ−ＬＤ部１の素子温度及びＬＤバイアス電流を変化させてフィードバック制御をなすことにより、出力波長の切替を行う。
【０００５】
また、変調器制御部６２は波長切替時、通常時と同様に変調器２の出力光をモニタしつつ変調器２のバイアス電圧を制御して、出力波形の最適化を図る。なお、ＣＷ−ＬＤ部１の波長切替は送信データが無いときに行われる。
【０００６】
【特許文献１】特開２００２−０４９０１４号公報
【発明の開示】
【発明が解決しようとする課題】
【０００７】
ＣＷ−ＬＤ部１の出力波長切替を行う際、波長切替速度を優先させると、光出力パワー特性が劣化してしまうが、上述したように、光出力パワー特性が劣化しないようにＣＷ−ＬＤ制御部６１が波長切替のためのフィードバック制御をなす必要がある場合、フィードバック制御の時定数等の都合により波長切替時間に制限が生じ、波長切替速度が低下してしまうという問題がある。
【０００８】
なお、特許文献１には、発光素子と光変調器とを有する光送信器において、光変調器の特性をＲＯＭに記憶させておき、このＲＯＭに記憶された情報に基づき発光素子の駆動電流源を制御して変調光出力を一定に保つことが記載されている。しかしながら、特許文献１では、波長切替時の動作については何ら記載されていない。
【０００９】
本発明の目的は、光出力パワー特性の劣化を抑えつつ波長切替時間の短縮を図ることができる光送信器、その動作制御方法及びプログラムを提供することである。
【課題を解決するための手段】
【００１０】
本発明による光送信器は、波長可変光源と、送信データに応じて前記波長可変光源の出力光を変調して出力する変調器とを有する光送信器であって、前記波長可変光源の出力波長切替時、前記変調器の光出力パワーを基に前記変調器のバイアス電圧を変化させて前記変調器の光出力パワーのフィードバック制御をなす制御手段を含むことを特徴とする。
【００１１】
前記光送信器において、前記制御手段は、前記変調器の光出力パワーと所望の時間対光出力パワー特性とを比較して前記変調器のバイアス電圧を可変制御することを特徴とする。
【００１２】
前記光送信器において、前記制御手段は、前記変調器の光出力パワーと前記変調器の光入力パワーとの差に応じて、前記変調器のバイアス電圧を可変制御する際の増減幅を可変制御することを特徴とする。
【００１３】
前記光送信器において、前記所望の時間対光出力パワー特性を記憶する記憶手段を更に含み、また、前記記憶手段は、波長ごとに前記所望の時間対光出力パワー特性を記憶したことを特徴とする。
【００１４】
本発明による動作制御方法は、波長可変光源と、送信データに応じて前記波長可変光源の出力光を変調して出力する変調器とを有する光送信器の動作制御方法であって、前記波長可変光源の出力波長切替時、前記変調器の光出力パワーを基に前記変調器のバイアス電圧を変化させて前記変調器の光出力パワーのフィードバック制御をなす制御ステップを含むことを特徴とする。
【００１５】
本発明によるプログラムは、波長可変光源と、送信データに応じて前記波長可変光源の出力光を変調して出力する変調器とを有する光送信器の動作制御方法をコンピュータに実行させるためのプログラムであって、前記波長可変光源の出力波長切替時、前記変調器の光出力パワーを基に前記変調器のバイアス電圧を変化させて前記変調器の光出力パワーのフィードバック制御をなす処理を含むことを特徴とする。
【００１６】
このように、本発明では、波長可変光源と波長可変光源の出力光を変調して出力する変調器とを有する光送信器において、波長可変光源の出力波長切替時、制御手段は、変調器の光出力パワーを基に変調器のバイアス電圧を変化させて変調器の光出力パワーのフィードバック制御をなすようにしている。
【発明の効果】
【００１７】
本発明によれば、波長切替時、制御手段が変調器を制御して光出力パワーの調整を行うようにしているので、波長可変光源に対しては波長切替に最適化された制御を行うことが可能となり、よって、光出力パワー特性の劣化を抑えつつ波長切替時間の短縮を図ることができるという効果が得られる。
【発明を実施するための最良の形態】
【００１８】
以下、本発明の実施例について図面を参照して説明する。
【００１９】
図１は本発明の実施例による光送信器の構成を示す図であり、図３と同等部分は同一符号にて示している。図１において、ＲＯＭ５には、変調器２の光出力パワーと時間との関係が所望の特性として記憶されている。制御部４のＣＷ−ＬＤ制御部４１は通常時、ＣＷ−ＬＤ部１の光出力パワー及び出力波長が最適化されるようにＣＷ−ＬＤ部１を制御する。制御部４の変調器制御部４２は通常時、変調器２の出力光の波形が最適化されるように変調器２を制御する。
【００２０】
ＣＷ−ＬＤ部１の出力波長を切替える（変化させる）とき、ＣＷ−ＬＤ制御部４１は、ＣＷ−ＬＤ部１の後方光出力から光出力パワー及び出力波長をモニタしつつＣＷ−ＬＤ部１の素子温度及びＬＤバイアス電流を変化させてフィードバック制御をなすことにより出力波長の切替を行うが、波長切替時の光出力パワー特性の劣化を許容して、光出力パワーの制御より波長切替制御を優先的に行う（波長切替に最適化された制御を行う）。すなわち、ＣＷ−ＬＤ制御部４１は波長切替時、波長切替のための主なパラメータであるＣＷ−ＬＤ部１の素子温度を優先的に変化させて、ＣＷ−ＬＤ部１の光出力パワーを変化させるための主なパラメータであるＬＤバイアス電流については粗に変化させることにより、波長切替時間の短縮を図る。
【００２１】
変調器制御部４２は波長切替時、光出力パワー特性が劣化しないように、変調器２の光出力パワーをモニタしつつ変調器２のバイアス電圧を変化させて変調器２の光出力パワーのフィードバック制御を行う。すなわち、変調器制御部４２は波長切替時、変調器２の光出力パワーとＲＯＭ５に記憶された所望の光出力パワー特性（時間対光出力パワー特性）とを比較して、波長切替の間この所望の光出力パワー特性が維持されるように変調器２のバイアス電圧を可変制御する。なお、このように、変調器制御部４２は波長切替時に光出力パワーの最適化を図るため、変調器２の出力波形の最適化が図られないが、波長切替は送信データが無いときに行われるので問題ない。
【００２２】
次に、本発明の実施例による光送信器の動作について図面を参照して説明する。図２は図１の光送信器の動作を示すフローチャートである。図２において、ＣＷ−ＬＤ部１の出力波長切替時、制御部４はＲＯＭ５に記憶された所望の光出力パワー特性を読み出す（ステップＳ１）。
【００２３】
そして、ＣＷ−ＬＤ制御部４１は、上述したように波長切替に最適化された制御を行う（ステップＳ２）。また、変調器制御部４２は、ＣＷ−ＬＤ制御部４１による波長切替制御の間、上述したように変調器２の光出力パワーと読み出された所望の光出力パワー特性とを比較して変調器２の光出力パワーのフィードバック制御を行う（ステップＳ３）。
【００２４】
具体的には、変調器制御部４２は、変調器２の光出力パワーと、読み出された所望の光出力パワー特性上のその時点における光出力パワーとを比較し、前者が後者より小であれば、変調器２のバイアス電圧を所定値だけ増加せしめ、前者が後者より大であれば、変調器２のバイアス電圧を所定値だけ減少せしめる。このような制御が波長切替の間繰り返されることにより、波長切替の間の光送信器の光出力パワー特性の劣化を抑制することができる。
【００２５】
以上説明したように、本発明の実施例では、ＣＷ−ＬＤ部１の波長切替時、光出力パワーの調整を変調器制御部４２が変調器２を制御することにより行うようにしているので、ＣＷ−ＬＤ制御部４１は光出力パワー最適化の優先度を落として波長切替時間を第一優先にＣＷ−ＬＤ部１を制御することができ、よって、光出力パワー特性の劣化を抑えつつ波長切替時間の短縮を図ることができる。
【００２６】
なお、上記本発明の実施例において、変調器２の光出力パワーと変調器２の光入力パワーとの差に応じて、変調器制御部４２による変調器２の光出力パワーのフィードバック制御のスピードを可変するようにしてもよい。すなわち、例えば、変調器制御部４２は、変調器２の光出力パワーと光入力パワーとの差が所定の閾値以上であれば、図２のステップＳ３において変調器２のバイアス電圧が増加または減少される上記所定値（増減幅）の値を増加せしめ、上記差が閾値より小であれば上記所定値（増減幅）の値を減少せしめるようにしてもよい。
【００２７】
また、ＲＯＭ５には、波長ごとに所望の光出力パワー特性（時間対光出力パワー特性）を記憶させるようにしてもよい。この場合、制御部４は、図２のステップＳ１において波長切替先の波長に対応する光出力パワー特性をＲＯＭ５から読み出し、これを光出力パワーのフィードバック制御に用いることになる。
【００２８】
なお、図２に示したフローチャートに従った光送信器の処理動作は、該光送信器において、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００２９】
【図１】本発明の実施例による光送信器の構成を示す図である。
【図２】図１の光送信器の動作を示すフローチャートである。
【図３】従来の光送信器の構成を示す図である。
【符号の説明】
【００３０】
１    ＣＤ−ＬＤ部
２    変調器
３    変調器駆動部
４    制御部
５    ＲＯＭ
４１    ＣＤ−ＬＤ制御部
４２    変調器制御部
【図１】
2008058430.tif 000003
【図２】
2008058430.tif 000004
【図３】
2008058430.tif 000005